(57)【要約】【課題】イベント内容に応じて、該イベント内容に関連付けられた広告を配信するシステム、並びに広告配信サーバ装置及びその方法を提供する。【解決手段】イベント内容を格納するイベント内容格納部と、広告情報を該イベント内容と関連付けて格納する広告情報格納部とを備え、所定の条件に基づいてトリガ信号を生成させ、該生成されたトリガ信号を受け付けて、該格納されたイベント内容のうち特定のイベント内容を特定し、該広告情報格納部から、該特定されたイベント内容に関連付けられた広告情報を抽出し、該抽出された広告情報を該ユーザの移動体端末装置へ配信する。【選択図】図１
2015125604.tif 000002
【特許請求の範囲】
【請求項１】
広告配信サーバ装置からユーザの移動体端末装置へ広告情報を配信する広告配信システムであって、
前記広告配信サーバ装置は、
イベント内容を格納するイベント内容格納部と、
前記広告情報を前記イベント内容と関連付けて格納する広告情報格納部と、
所定の条件に基づいてトリガ信号を生成させるトリガ生成部と、
前記生成されたトリガ信号を受け付けて、前記格納されたイベント内容のうち特定のイベント内容を特定するイベント内容特定部と、
前記広告情報格納部から、前記特定されたイベント内容に関連付けられた広告情報を抽出する広告情報抽出部と、
前記抽出された広告情報を前記ユーザの移動体端末装置へ配信する広告情報配信部と、
を備える、広告配信システム。
【請求項２】
前記広告配信サーバ装置は、更に、
前記ユーザのユーザ情報を取得するユーザ情報取得部、を備え、
前記広告情報は、更に、前記ユーザ情報に対応するユーザ属性と関連付けて格納され、
前記広告情報抽出部は、前記特定されたイベント内容に関連付けられた広告情報のうち、前記取得したユーザ情報に対応するユーザ属性が関連付けられた広告情報を抽出する、
請求項１に記載の広告配信システム。
【請求項３】
前記移動体端末装置は、前記ユーザの生体情報を検出する生体情報検出部、を備え、
前記広告配信サーバ装置は、
前記検出された生体情報を取得する生体情報取得部と、
前記取得された生体情報に基づいて前記ユーザの感情状態を特定し、該特定された感情状態を前記ユーザ情報とするユーザ情報特定部と、を備える、
請求項２に記載の広告配信システム。
【請求項４】
前記イベント内容は、前記イベント内容の終了時刻と関連付けて格納され、
前記ユーザ情報は、前記感情状態の履歴に関する情報を含み、
前記広告情報抽出部は、更に、前記感情状態の履歴を参照して前記広告情報を抽出し、
前記広告情報配信部は、前記抽出された広告情報を、該広告情報に関連付けられたイベント内容の終了時刻後に配信する、
請求項３に記載の広告配信システム。
【請求項５】
前記イベント内容は、前記イベント内容の開始時刻及び／又は終了時刻と関連付けて格納され、
前記広告情報配信部は、前記抽出された広告情報を、該広告情報に関連付けられたイベント内容の開始時刻前及び／又は終了時刻後に配信する、
請求項１〜３のいずれか一項に記載の広告配信システム。
【請求項６】
ユーザの移動体端末装置へ広告情報を配信する広告配信サーバ装置であって、
イベント内容を格納するイベント内容格納部と、
前記広告情報を前記イベント内容と関連付けて格納する広告情報格納部と、
所定の条件に基づいてトリガ信号を生成させるトリガ生成部と、
前記生成されたトリガ信号を受け付けて、前記格納されたイベント内容のうち特定のイベント内容を特定するイベント内容特定部と、
前記広告情報格納部から、前記特定されたイベント内容に関連付けられた広告情報を抽出する広告情報抽出部と、
前記抽出された広告情報を前記ユーザの移動体端末装置へ配信する広告情報配信部と、
を備える、広告配信サーバ装置。
【請求項７】
前記ユーザのユーザ情報を取得するユーザ情報取得部、を備え、
前記広告情報は、更に、前記ユーザ情報に対応するユーザ属性と関連付けて格納され、
前記広告情報抽出部は、前記特定されたイベント内容に関連付けられた広告情報のうち、前記取得したユーザ情報に対応するユーザ属性が関連付けられた広告情報を抽出する、
請求項６に記載の広告配信サーバ装置。
【請求項８】
前記ユーザの生体情報を取得する生体情報取得部と、
前記取得された生体情報に基づいて前記ユーザの感情状態を特定し、該特定された感情状態を前記ユーザ情報とするユーザ情報特定部と、
を備える、請求項７に記載の広告配信サーバ装置。
【請求項９】
前記イベント内容は、前記イベント内容の終了時刻と関連付けて格納され、
前記ユーザ情報は、前記感情状態の履歴に関する情報を含み、
前記広告情報抽出部は、更に、前記感情状態の履歴を参照して前記広告情報を抽出し、
前記広告情報配信部は、前記抽出された広告情報を、該広告情報に関連付けられたイベント内容の終了時刻後に配信する、
請求項８に記載の広告配信サーバ装置。
【請求項１０】
前記イベント内容は、前記イベント内容の開始時刻及び／又は終了時刻と関連付けて格納され、
前記広告情報配信部は、前記抽出された広告情報を、該広告情報に関連付けられたイベント内容の開始時刻前及び／又は終了時刻後に配信する、
請求項６〜８のいずれか一項に記載の広告配信サーバ装置。
【請求項１１】
ユーザの移動体端末装置へ広告情報を配信する広告配信方法であって、
イベント内容をイベント内容格納部へ格納するイベント内容格納ステップと、
前記広告情報を前記イベント内容と関連付けて広告情報格納部へ格納する広告情報格納ステップと、
トリガ生成部が、所定の条件に基づいてトリガ信号を生成させるトリガ生成ステップと、
イベント内容特定部が、前記生成されたトリガ信号を受け付けて、前記格納されたイベント内容のうち特定のイベント内容を特定するイベント内容特定ステップと、
広告情報抽出部が、前記広告情報格納部から、前記特定されたイベント内容に関連付けられた広告情報を抽出する広告情報抽出ステップと、
広告情報配信部が、前記抽出された広告情報を前記ユーザの移動体端末装置へ配信する広告情報配信ステップと、
を備える、広告配信方法。
【請求項１２】
ユーザ情報取得部が、前記ユーザのユーザ情報を取得するユーザ情報取得ステップ、を備え、
前記広告情報は、更に、前記ユーザ情報に対応するユーザ属性と関連付けて格納され、
前記広告情報抽出ステップは、前記特定されたイベント内容に関連付けられた広告情報のうち、前記取得したユーザ情報に対応するユーザ属性が関連付けられた広告情報を抽出する、
請求項１１に記載の広告配信方法。
【請求項１３】
生体情報取得部が、前記ユーザの生体情報を取得する生体情報取得ステップと、
ユーザ情報特定部が、前記取得された生体情報に基づいて前記ユーザの感情状態を特定し、該特定された感情状態を前記ユーザ情報とするユーザ情報特定ステップと、
を備える、請求項１２に記載の広告配信方法。
【請求項１４】
前記イベント内容は、前記イベント内容の終了時刻と関連付けて格納され、
前記ユーザ情報は、前記感情状態の履歴に関する情報を含み、
前記広告情報抽出ステップは、更に、前記感情状態の履歴を参照して前記広告情報を抽出し、
前記広告情報配信ステップは、前記抽出された広告情報を、該広告情報に関連付けられたイベント内容の終了時刻後に配信する、
請求項１３に記載の広告配信方法。
【請求項１５】
前記イベント内容は、前記イベント内容の開始時刻及び／又は終了時刻と関連付けて格納され、
前記広告情報配信ステップは、前記抽出された広告情報を、該広告情報に関連付けられたイベント内容の開始時刻前及び／又は終了時刻後に配信する、
請求項１１〜１３のいずれか一項に記載の広告配信方法。
【請求項１６】
ユーザの移動体端末装置へ広告情報を配信するためのコンピュータプログラムであって、コンピュータを、
イベント内容を格納するイベント内容格納手段と、
前記広告情報を前記イベント内容と関連付けて格納する広告情報格納手段と、
所定の条件に基づいてトリガ信号を生成させるトリガ生成手段と、
前記生成されたトリガ信号を受け付けて、前記格納されたイベント内容のうち特定のイベント内容を特定するイベント内容特定手段と、
前記広告情報格納手段から、前記特定されたイベント内容に関連付けられた広告情報を抽出する広告情報抽出手段と、
前記抽出された広告情報を前記ユーザの移動体端末装置へ配信する広告情報配信手段、
として機能させる、コンピュータプログラム。
【請求項１７】
前記コンピュータを、更に、
前記ユーザのユーザ情報を取得するユーザ情報取得手段、として機能させ、
前記広告情報は、更に、前記ユーザ情報に対応するユーザ属性と関連付けて格納され、
前記広告情報抽出手段は、前記特定されたイベント内容に関連付けられた広告情報のうち、前記取得したユーザ情報に対応するユーザ属性が関連付けられた広告情報を抽出する、
請求項１６に記載のコンピュータプログラム。
【請求項１８】
前記コンピュータを、更に、
前記ユーザの生体情報を取得する生体情報取得手段と、
前記取得された生体情報に基づいて前記ユーザの感情状態を特定し、該特定された感情状態を前記ユーザ情報とするユーザ情報特定手段、
として機能させる、請求項１７に記載のコンピュータプログラム。
【請求項１９】
前記イベント内容は、前記イベント内容の終了時刻と関連付けて格納され、
前記ユーザ情報は、前記感情状態の履歴に関する情報を含み、
前記広告情報抽出手段は、更に、前記感情状態の履歴を参照して前記広告情報を抽出し、
前記広告情報配信手段は、前記抽出された広告情報を、該広告情報に関連付けられたイベント内容の終了時刻後に配信する、
請求項１８に記載のコンピュータプログラム。
【請求項２０】
前記イベント内容は、前記イベント内容の開始時刻及び／又は終了時刻と関連付けて格納され、
前記広告情報配信手段は、前記抽出された広告情報を、該広告情報に関連付けられたイベント内容の開始時刻前及び／又は終了時刻後に配信する、
請求項１６〜１８のいずれか一項に記載のコンピュータプログラム。
【請求項２１】
請求項１６〜２０のいずれか一項に記載のコンピュータプログラムを記録する記録媒体。
【発明の詳細な説明】
【技術分野】
【０００１】
本発明は、イベント内容に応じて、該イベント内容に関連付けられた広告を配信するシステム、並びに広告配信サーバ装置及びその方法に関する。
【背景技術】
【０００２】
近年、インターネット及び移動体端末装置の普及に相まって、携帯電話やスマートフォンなどの移動体端末装置向けに配信される広告、所謂モバイル広告の利用が活発化してきている。そして、このようなモバイル広告の広告主は、広告を提供されたユーザを効果的に購買行為に導くよう種々検討を重ねてきている。
特許文献１には、利用者の移動目的に応じてより適切な情報を利用者に送ることにより、該情報の宣伝効果をより高めるべく、利用者が現在移動している経路の種別を判定し、該判定された経路の種別に基づいて利用者に提供すべき情報を選択し、提示する移動体向け情報提供システムが開示されている。
本発明に関連する従来技術を開示する特許文献２も参照されたい。
【先行技術文献】
【特許文献】
【０００３】
【特許文献１】特開２００４−１４４５３１号公報
【特許文献２】特開２００７−３２３３３６号公報
【発明の概要】
【発明が解決しようとする課題】
【０００４】
本発明者は、モバイル広告を効果的に配信すべく鋭意検討重ねてきた。その結果、以下の点に気がついた。
例えば、野球観戦の応援グッズの広告であれば、観戦前であればユーザの需要も期待されるが、観戦後では期待できない。また、競馬場付近の店から豪華なディナーコースの広告が配信される場合にも、敗北したユーザが来店する可能性に比べ、勝利したユーザの目に留まり来店に至る可能性の方が高い。さらには、コンサート会場付近の店から豪華ディナーコースの広告が配信される場合、当該会場で開催されるコンサート前の時間的に余裕のない場合に比べ、コンサート後でユーザの気分が高揚している場合には目に留まる魅力的な広告となる可能性が高い。すなわち、モバイル広告の効果を上げるためには、より適切なタイミングで広告情報を配信する必要があり、当該適切なタイミングがイベント内容に影響を受けることに気がついた。
そこで、本発明者は、イベント内容と関連付けられた広告情報を利用して、ユーザが参加する、若しくは、参加したイベント内容に応じた広告情報を配信することにより、上記課題を解決できることに想到した。
【課題を解決するための手段】
【０００５】
この発明は上述の課題に鑑みてなされたものであり、その第１の局面は次のように規定される。即ち、
広告配信サーバ装置からユーザの移動体端末装置へ広告情報を配信する広告配信システムであって、
前記広告配信サーバ装置は、
イベント内容を格納するイベント内容格納部と、
前記広告情報を前記イベント内容と関連付けて格納する広告情報格納部と、
所定の条件に基づいてトリガ信号を生成させるトリガ生成部と、
前記生成されたトリガ信号を受け付けて、前記格納されたイベント内容のうち特定のイベント内容を特定するイベント内容特定部と、
前記広告情報格納部から、前記特定されたイベント内容に関連付けられた広告情報を抽出する広告情報抽出部と、
前記抽出された広告情報を前記ユーザの移動体端末装置へ配信する広告情報配信部と、
を備える、広告配信システム。
【０００６】
このように規定される第１の局面の広告配信システムによれば、所定の条件でトリガ信号が生成されると、ユーザが参加する、若しくは、参加した可能性のあるイベント内容を特定し、該特定されたイベント内容と関連付けられた広告情報を抽出して、ユーザの移動体端末装置へ配信する。このようなシステムによれば、イベントに参加する、若しくは、参加した可能性のあるユーザの要求に沿った広告情報を配信するため、広告配信の効果を向上させることができる。
ここで、イベント内容は、イベント内容の開始時刻及び／又は終了時刻と関連付けて格納され、広告情報配信部は、抽出された広告情報を、該広告情報に関連付けられたイベント内容の開始時刻前及び／又は終了時刻後に配信することができる（第５の局面）。イベント内容の開始時刻前であれば、該イベント内容に必要なグッズや軽食等のユーザの要求に対応し、イベント内容の終了時刻後であれば、該イベント内容の記念等のユーザの要求に対応した広告情報を配信することができる。
【０００７】
この発明の第２の局面は次のように規定される。即ち、
第１の局面に規定の広告配信システムにおいて、前記広告配信サーバ装置は、更に、
前記ユーザのユーザ情報を取得するユーザ情報取得部、を備え、
前記広告情報は、更に、前記ユーザ情報に対応するユーザ属性と関連付けて格納され、
前記広告情報抽出部は、前記特定されたイベント内容に関連付けられた広告情報のうち、前記取得したユーザ情報に対応するユーザ属性が関連付けられた広告情報を抽出する。
【０００８】
このように規定される第２の局面の広告配信システムによれば、さらにユーザ属性と関連付けられた広告情報を利用する。そして、移動体端末装置ユーザのユーザ情報に対応するユーザ属性が関連付けられた広告情報を抽出して、ユーザの移動体端末装置へ配信する。このように、広告を配信する対象を考慮すれば、よりユーザに適した広告情報を配信することができ、広告配信の効果をより向上させることができる。
ここで、ユーザ情報は、移動体端末装置のユーザに関する情報であり、時間による特徴の変化が小さい静的情報と変化が大きい動的情報が挙げられる。静的情報としては、性別、年齢、嗜好等が挙げられ、動的情報としては、後述の感情状態等が挙げられる。
ユーザ属性は、広告の配信対象を特定するために付与されるものであり、例えば、上記ユーザ情報に対応して、性別、年齢層、嗜好、感情状態等が挙げられる。
【０００９】
この発明の第３の局面は次のように規定される。即ち、
第２の局面に規定の広告配信システムにおいて、前記移動体端末装置は、前記ユーザの生体情報を検出する生体情報検出部、を備え、
前記広告配信サーバ装置は、
前記検出された生体情報を取得する生体情報取得部と、
前記取得された生体情報に基づいて前記ユーザの感情状態を特定し、該特定された感情状態を前記ユーザ情報とするユーザ情報特定部と、を備える。
【００１０】
このように規定される第３の局面の広告配信システムによれば、広告の配信対象に、ユーザから検出される生体情報に基づいて特定されるユーザの感情状態を反映させることにより、より詳細にユーザの要求に沿った広告情報を配信することができ、広告配信の効果をより向上させることができる。
ここで、生体情報は、ユーザの生体に関する情報であり、例えば、脈拍、心拍、呼吸、発汗、血圧、脳波、体温、発声、瞳孔、目の動きが挙げられる。このような生体情報を検出可能な移動体端末装置として、例えば、ウェアラブルデバイスが挙げられる。
【００１１】
この発明の第４の局面は次のように規定される。即ち、
第３の局面に規定の広告配信システムにおいて、前記イベント内容は、前記イベント内容の終了時刻と関連付けて格納され、
前記ユーザ情報は、前記感情状態の履歴に関する情報を含み、
前記広告情報抽出部は、更に、前記感情状態の履歴を参照して前記広告情報を抽出し、
前記広告情報配信部は、前記抽出された広告情報を、該広告情報に関連付けられたイベント内容の終了時刻後に配信する。
このように規定される第４の局面の広告配信システムによれば、イベント内容の終了後に配信する広告情報において、広告の配信対象に、ユーザの感情状態の履歴に関する情報を反映させる。これにより、イベント内容に参加したことによる感情状態の変化を加味して広告を配信することができる。
【００１２】
また、この発明の第６の局面は次のように規定される。即ち、
ユーザの移動体端末装置へ広告情報を配信する広告配信サーバ装置であって、
イベント内容を格納するイベント内容格納部と、
前記広告情報を前記イベント内容と関連付けて格納する広告情報格納部と、
所定の条件に基づいてトリガ信号を生成させるトリガ生成部と、
前記生成されたトリガ信号を受け付けて、前記格納されたイベント内容のうち特定のイベント内容を特定するイベント内容特定部と、
前記広告情報格納部から、前記特定されたイベント内容に関連付けられた広告情報を抽出する広告情報抽出部と、
前記抽出された広告情報を前記ユーザの移動体端末装置へ配信する広告情報配信部と、
を備える、広告配信サーバ装置。
このように規定される第６の局面の装置によれば、第１の局面と同等の効果を奏する。
【００１３】
この発明の第７の局面は次のように規定される。即ち、
第６の局面に規定の装置において、前記ユーザのユーザ情報を取得するユーザ情報取得部、を備え、
前記広告情報は、更に、前記ユーザ情報に対応するユーザ属性と関連付けて格納され、
前記広告情報抽出部は、前記特定されたイベント内容に関連付けられた広告情報のうち、前記取得したユーザ情報に対応するユーザ属性が関連付けられた広告情報を抽出する。
このように規定される第７の局面の装置によれば、第２の局面と同等の効果を奏する。
【００１４】
この発明の第８の局面は次のように規定される。即ち、
第７の局面に規定の装置において、前記ユーザの生体情報を取得する生体情報取得部と、
前記取得された生体情報に基づいて前記ユーザの感情状態を特定し、該特定された感情状態を前記ユーザ情報とするユーザ情報特定部と。
このように規定される第８の局面の装置によれば、第３の局面と同等の効果を奏する。
【００１５】
この発明の第９の局面は次のように規定される。即ち、
第８の局面に規定の装置において、前記イベント内容は、前記イベント内容の終了時刻と関連付けて格納され、
前記ユーザ情報は、前記感情状態の履歴に関する情報を含み、
前記広告情報抽出部は、更に、前記感情状態の履歴を参照して前記広告情報を抽出し、
前記広告情報配信部は、前記抽出された広告情報を、該広告情報に関連付けられたイベント内容の終了時刻後に配信する。
このように規定される第９の局面の装置によれば、第４の局面と同等の効果を奏する。
【００１６】
この発明の第１０の局面は次のように規定される。即ち、
第６〜第８のいずれかの局面に規定の装置において、前記イベント内容は、前記イベント内容の開始時刻及び／又は終了時刻と関連付けて格納され、
前記広告情報配信部は、前記抽出された広告情報を、該広告情報に関連付けられたイベント内容の開始時刻前及び／又は終了時刻後に配信する。
このように規定される第１０の局面の装置によれば、第５の局面と同等の効果を奏する。
【００１７】
更に、この発明の第１１の局面は次のように規定される。即ち、
ユーザの移動体端末装置へ広告情報を配信する広告配信方法であって、
イベント内容をイベント内容格納部へ格納するイベント内容格納ステップと、
前記広告情報を前記イベント内容と関連付けて広告情報格納部へ格納する広告情報格納ステップと、
トリガ生成部が、所定の条件に基づいてトリガ信号を生成させるトリガ生成ステップと、
イベント内容特定部が、前記生成されたトリガ信号を受け付けて、前記格納されたイベント内容のうち特定のイベント内容を特定するイベント内容特定ステップと、
広告情報抽出部が、前記広告情報格納部から、前記特定されたイベント内容に関連付けられた広告情報を抽出する広告情報抽出ステップと、
広告情報配信部が、前記抽出された広告情報を前記ユーザの移動体端末装置へ配信する広告情報配信ステップと、
を備える、広告配信方法。
このように規定される第１１の局面の発明によれば、第１の局面と同等の効果を奏する。
【００１８】
この発明の第１２の局面は次のように規定される。即ち、
第１１の局面に規定の方法において、ユーザ情報取得部が、前記ユーザのユーザ情報を取得するユーザ情報取得ステップ、を備え、
前記広告情報は、更に、前記ユーザ情報に対応するユーザ属性と関連付けて格納され、
前記広告情報抽出ステップは、前記特定されたイベント内容に関連付けられた広告情報のうち、前記取得したユーザ情報に対応するユーザ属性が関連付けられた広告情報を抽出する。
このように規定される第１２の局面の発明によれば、第２の局面と同等の効果を奏する。
【００１９】
この発明の第１３の局面は次のように規定される。即ち、
第１２の局面に規定の方法において、生体情報取得部が、前記ユーザの生体情報を取得する生体情報取得ステップと、
ユーザ情報特定部が、前記取得された生体情報に基づいて前記ユーザの感情状態を特定し、該特定された感情状態を前記ユーザ情報とするユーザ情報特定ステップと、
を備える。
このように規定される第１３の局面の発明によれば、第３の局面と同等の効果を奏する。
【００２０】
この発明の第１４の局面は次のように規定される。即ち、
第１３の局面に規定の方法において、前記イベント内容は、前記イベント内容の終了時刻と関連付けて格納され、
前記ユーザ情報は、前記感情状態の履歴に関する情報を含み、
前記広告情報抽出ステップは、更に、前記感情状態の履歴を参照して前記広告情報を抽出し、
前記広告情報配信ステップは、前記抽出された広告情報を、該広告情報に関連付けられたイベント内容の終了時刻後に配信する。
このように規定される第１４の局面の発明によれば、第４の局面と同等の効果を奏する。
【００２１】
この発明の第１５の局面は次のように規定される。即ち、
第１１〜第１３のいずれかの局面に規定の方法において、前記イベント内容は、前記イベント内容の開始時刻及び／又は終了時刻と関連付けて格納され、
前記広告情報配信ステップは、前記抽出された広告情報を、該広告情報に関連付けられたイベント内容の開始時刻前及び／又は終了時刻後に配信する。
このように規定される第１５の局面の発明によれば、第５の局面と同等の効果を奏する。
【００２２】
更に、この発明の第１６の局面は次のように規定される。即ち、
ユーザの移動体端末装置へ広告情報を配信するためのコンピュータプログラムであって、コンピュータを、
イベント内容を格納するイベント内容格納手段と、
前記広告情報を前記イベント内容と関連付けて格納する広告情報格納手段と、
所定の条件に基づいてトリガ信号を生成させるトリガ生成手段と、
前記生成されたトリガ信号を受け付けて、前記格納されたイベント内容のうち特定のイベント内容を特定するイベント内容特定手段と、
前記広告情報格納手段から、前記特定されたイベント内容に関連付けられた広告情報を抽出する広告情報抽出手段と、
前記抽出された広告情報を前記ユーザの移動体端末装置へ配信する広告情報配信手段、
として機能させる、コンピュータプログラム。
このように規定される第１６の局面の発明によれば、第１の局面と同等の効果を奏する。
【００２３】
この発明の第１７の局面は次のように規定される。即ち、
第１６の局面に規定のコンピュータプログラムにおいて、前記コンピュータを、更に、
前記ユーザのユーザ情報を取得するユーザ情報取得手段、として機能させ、
前記広告情報は、更に、前記ユーザ情報に対応するユーザ属性と関連付けて格納され、
前記広告情報抽出手段は、前記特定されたイベント内容に関連付けられた広告情報のうち、前記取得したユーザ情報に対応するユーザ属性が関連付けられた広告情報を抽出する。
このように規定される第１７の局面の発明によれば、第２の局面と同等の効果を奏する。
【００２４】
この発明の第１８の局面は次のように規定される。即ち、
第１７の局面に規定のコンピュータプログラムにおいて、前記コンピュータを、更に、
前記ユーザの生体情報を取得する生体情報取得手段と、
前記取得された生体情報に基づいて前記ユーザの感情状態を特定し、該特定された感情状態を前記ユーザ情報とするユーザ情報特定手段、
として機能させる。
このように規定される第１８の局面の発明によれば、第３の局面と同等の効果を奏する。
【００２５】
この発明の第１９の局面は次のように規定される。即ち、
第１８の局面に規定のコンピュータプログラムにおいて、
前記イベント内容は、前記イベント内容の終了時刻と関連付けて格納され、
前記ユーザ情報は、前記感情状態の履歴に関する情報を含み、
前記広告情報抽出手段は、更に、前記感情状態の履歴を参照して前記広告情報を抽出し、
前記広告情報配信手段は、前記抽出された広告情報を、該広告情報に関連付けられたイベント内容の終了時刻後に配信する。
このように規定される第１９の局面の発明によれば、第４の局面と同等の効果を奏する。
【００２６】
この発明の第２０の局面は次のように規定される。即ち、
第１６〜第１８のいずれかのの局面に規定のコンピュータプログラムにおいて、
前記イベント内容は、前記イベント内容の開始時刻及び／又は終了時刻と関連付けて格納され、
前記広告情報配信手段は、前記抽出された広告情報を、該広告情報に関連付けられたイベント内容の開始時刻前及び／又は終了時刻後に配信する。
このように規定される第２０の局面の発明によれば、第５の局面と同等の効果を奏する。
【００２７】
第１６〜第２０のいずれかの局面に規定されるコンピュータプログラムを記録する記録媒体が第２１の局面として規定される。
【図面の簡単な説明】
【００２８】
【図１】図１は、本発明の実施の形態の広告配信システム１の構成を示すブロック図である。
【図２】図２は、（Ａ）イベント内容格納部５１に格納されるイベントテーブルの一例であり、（Ｂ）広告情報格納部５３に格納される広告情報テーブルの一例である。
【図３】図３は、本発明の他の実施の形態の広告配信システム１の動作の一例を示すフローチャートである。
【図４】図４は、本発明の他の実施の形態の広告配信システム２１の構成を示すブロック図である。
【図５】図５は、本発明の他の実施の形態の広告配信システム４１の構成を示すブロック図である。
【図６】図６は、広告情報格納部４５５に格納される広告情報テーブルの一例である。
【図７】図７は、本発明の他の実施の形態の広告配信システム４１の動作の一例を示すフローチャートである。
【発明を実施するための形態】
【００２９】
この発明の実施の形態の広告配信システムを説明する。
図１に、広告配信システム１の概略構成を示す。
図１に示すように、この広告配信システム１は、第１の移動体端末装置（Ｍ１）３、第２〜第ｎの移動体端末装置（Ｍ２〜Ｍｎ）及び広告配信サーバ装置５を備えており、各移動体端末装置と広告配信サーバ装置とはネットワークＮを介して夫々無線接続されている。
第１の移動体端末装置３は、ユーザが携帯可能な通信端末装置であり、例えば、携帯電話機、ＰＤＡ（Ｐｏｒｔａｂｌｅ Ｄｉｇｉｔａｌ Ａｓｓｉｓｔａｎｔｓ）、携帯ゲーム機、ノート型ＰＣ、ＰＮＤ（Ｐｏｒｔａｂｌｅ Ｎａｖｉｇａｔｉｏｎ Ｄｅｖｉｃｅ）、車載ナビゲーション装置等が挙げられる。特に、スマートフォンが好適である。
【００３０】
第１の移動体端末装置３は、出力部３１、端末位置特定部３３及び端末側通信部３５を備える。
出力部３１は、ディスプレイを含み、入力画面や後述する広告情報等、その他の情報を表示する。この出力部３１は、音声発信部を含むこともできる。
端末位置特定部３３は、ＧＰＳ装置やジャイロ装置により端末装置の現在の位置情報を特定する。併せて、現在時刻を特定することもできる。
端末側通信部３５は、各種情報をサーバ装置５へ送信する送信部と、各種情報をサーバ装置５から受信する受信部とを備える。当該端末側通信部３が送信する情報としては、例えば、上記端末位置特定部３３で特定された移動体端末装置の位置や時間、後述のユーザ情報等が挙げられる。また、当該端末側通信部３５が受信する情報としては、例えば、後述の広告情報等が挙げられる。
なお、第１の移動体端末装置Ｍ１の構成について説明してきたが、他の移動体端末装置Ｍ２〜Ｍｎについても、Ｍ１と同様の構成を備えるものとする。
【００３１】
広告配信サーバ装置５は、イベント内容格納部５１、広告情報格納部５３、トリガ生成部５５、イベント内容特定部５７、広告情報抽出部５９及びサーバ側通信６０を備える。
イベント内容格納部５１にはイベント内容が格納される。イベント内容は、所定の場所に観客等を集客して行われるものであれば良く、例えば、歌手ＡＡのコンサートや、野球試合ＢＢ対ＣＣ戦、競馬ＤＤ記念等が挙げられる（図２（Ａ）参照）。このようなイベント内容は、該イベント内容にイベント開催日時やイベント開催位置等が関連付けられたイベントテーブルの形式で格納されていても良い。図２（Ａ）では、イベントテーブルに、イベントが開催される位置を座標で示したイベント開催位置を含む例を挙げているが、これに代えてあるいはこれと併せて、イベントが開催される会場の名称を含むことにしても良い。上記イベント開催位置は、イベント内容が開催される位置を示す代表点であっても良く、領域であっても良い。このイベントテーブルは、例えば、イベント会場ごとに備えられた、イベント内容とイベント開催日時とが関連付けられたイベントスケジュール情報に基づいて自動で作成することができる。他の例としては、オペレータの手動により作成しても良い。
【００３２】
広告情報格納部５３には広告情報が上記イベント内容と関連付けて格納される。広告情報は、ユーザが享受可能なサービスに関する情報であれば良く、例えば、イベント内容「ＡＡコンサート」に対して、広告主Ｈの広告情報「４名様以上でご来店の方にワイン１本サービス♪」等が挙げられる。図２（Ｂ）に示す広告情報テーブルに広告情報の他の例を示すが、これに限るものではない。
トリガ生成部５５は、所定の条件に基づいてトリガ信号を生成させる。当該トリガ信号は、ユーザがイベント内容に参加する可能性があることを判断可能なとき、生成されるようにすれば良く、その方法は特に限定されない。当該生成方法の第１の例として、イベント内容格納部５１に格納されたイベント内容のいずれかに関連付けられたイベント開催位置に基づいて、端末位置特定部３３で特定された端末の現在位置が、該イベント開催位置を含む所定範囲内に位置したとき、とすることができる。第２の例としては、例えば、ユーザが第１の移動体端末装置３内に備えられた入力部（図示しない）等によりイベント開催位置付近を目的地として設定した場合において、該端末装置の現在位置が上記所定範囲内に位置したとき、とすることができる。第３の例としては、イベント開催時間を参照して、イベント開始前１時間以降、あるいは、イベント終了後３時間以内に、端末装置の現在位置が上記所定範囲内に位置したとき、とすることができる。上記第２の例において、単に、イベント開催位置付近を目的地として設定したとき、トリガ信号を生成することにしても良い。
【００３３】
イベント内容特定部５７は、トリガ生成部５５で生成されたトリガ信号を受け付けて、イベント情報格納部５１に格納されたイベント内容のうち特定のイベント内容を特定する。例えば、イベント内容格納部５１に格納されたイベント内容のうち、トリガ生成部５５でトリガ信号を生成する原因となった端末装置の現在位置及び現在時刻に基づいてイベント内容を特定することができる。特定されるイベント内容として、例えば、端末装置の現在時刻から所定時間内に開始するイベント内容であって、端末装置の現在位置から所定範囲内にイベント開催位置を有するイベント内容が挙げられる。他の例としては、端末装置の移動履歴を参照して、イベント開催時間内にイベント開催位置に位置しており、端末装置の現在時刻前所定時間内に終了したイベント内容としても良い。
広告情報抽出部５９は、広告情報格納部５３から、イベント内容特定部５７で特定されたイベント内容に関連付けられた広告情報を抽出する。例えば、イベント内容特定部５７で特定されたイベント内容がイベントテーブル内の「ＡＡコンサート」である場合、広告情報テーブルにおいてイベント内容「ＡＡコンサート」に関連付けられた、広告主Ｈの広告情報「４名様以上でご来店の方ワイン１本サービス♪」、広告主Ｉの広告情報「ＡＡのＣＤ２枚組３２５０円！」が抽出される。当該抽出される広告情報は、一であっても良く、二以上であっても良い。抽出される広告が二以上である場合、その全てを抽出しても良く、また、予め定められた優先度に基づいてそのうちの一を抽出することにしても良い。
【００３４】
サーバ側通信部６０は、各種情報を移動体端末装置Ｍ１〜Ｍｎへ送信する送信部と、各種情報を移動体端末装置Ｍ１〜Ｍｎから受信する受信部とを備え、上記端末位置特定部３３で特定された端末装置の位置や時間、後述のユーザ情報等を受信する。移動体端末装置Ｍ１〜Ｍｎから受信した各種情報は、移動体端末装置のユーザＩＤに関連付けて所定の保存部（図示しない）に保存される。また、サーバ側通信部６０は、広告情報配信部６１を備える。
広告情報配信部６１は、広告情報抽出部５９で抽出された広告情報を第１の移動体端末装置３へ配信する。
【００３５】
図３を用いて、図１に示す広告配信システム１の動作の一例を説明する。
まず、ステップ１１では、第１の移動体端末装置３内の端末位置特定部３３で特定された現在位置及び現在時刻を、通信部３５を介して広告配信サーバ装置５へ送信する。広告配信サーバ装置５は、ステップ１０の現在位置及び現在時刻を受信し、所定の保存部（図示しない）へ保存する（ステップ２０）。
ステップ２１では、トリガ生成部５５は、イベント内容格納部５１を参照して、ステップ１０の現在位置から所定範囲内にイベント開催位置を有するイベント内容が存在するか判定する。判定の結果、該当するイベント内容が存在するとき（ステップ２１：Ｙｅｓ）、ステップ２２へ進む。
ステップ２２では、トリガ生成部５５は、イベント内容格納部５１を参照して、ステップ１０の現在時刻から所定時間内に開始するイベント内容が存在するか判定する。判定の結果、該当するイベント内容が存在するとき（ステップ２２：Ｙｅｓ）、ステップ２３へ進み、トリガ信号を生成する。
【００３６】
ステップ２４では、イベント内容特定部５７は、ステップ１０の現在位置及び現在時刻に基づいて、イベント内容格納部５１内に格納されるイベント内容から特定のイベント内容を特定する。
ステップ２５では、広告情報抽出部５９は、広告情報格納部５３を参照して、ステップ２４で特定されたイベント内容と関連付けられた広告情報を抽出する。広告情報格納部５３内の広告情報に「イベント開始前に配信」等配信タイミングが関連付けられている場合、このステップ２５では、上記イベント内容と関連付けられた広告情報であって、さらに、配信タイミング「イベント開始前に配信」との情報が関連付けられている広告情報を抽出する。
ステップ２６では、サーバ側通信部６０内広告情報配信部６１は、ステップ２５で抽出された広告情報を第１の移動体端末装置３へ送信する。
第１の移動体端末装置３は、ステップ２６で配信された広告情報を受信し、出力部３１により表示等する（ステップ１１）。
【００３７】
図４に、他の実施の形態の広告配信システム２１を示す。図４において、図１と同一の要素には同一の符号を付して、その説明を部分的に省略する。
図４に示すのは、移動体端末装置のユーザに関するユーザ情報に応じた広告情報を配信可能な広告配信システム２１である。すなわち、当該システム２１は、図１に示すシステム１において、広告配信サーバ装置５に代えて広告配信サーバ装置２３を備えている。また、この例において、上記広告情報格納部５３内には、イベント内容及びユーザ属性が関連付けられた広告情報が格納されている。
広告配信サーバ装置２３は、広告配信サーバ装置５において、ユーザ情報取得部２５を更に備え、広告情報抽出部５９に代えて広告情報抽出部２７を備えている。
【００３８】
ユーザ情報取得部２５は、第１の移動体端末装置３のユーザ情報を取得する。ユーザ情報取得部２５は、例えば、ユーザ情報としてのユーザの性別や年齢、嗜好等を第１の移動体端末装置３から取得する。
広告情報抽出部２７は、広告情報格納部５３から、イベント内容特定部５７で特定されたイベント内容に関連付けられた広告情報であって、ユーザ情報取得部２５で取得されたユーザ情報に対応するユーザ属性が関連付けられた広告情報を抽出する。例えば、取得されたユーザ情報が「女性」である場合、ユーザ属性「女性」が関連付けられた広告情報を抽出する。
【００３９】
図５に、この発明の実施例の広告配信システム４１を示す。図５において、図１及び図４と同一の要素には同一の符号を付して、その説明を部分的に省略する。
図５に示すのは、移動体端末装置のユーザの生体情報を考慮し、該生体情報に適した広告情報を配信可能な広告配信システム４１である。すなわち、当該システム４１は、図４に示すシステム２１において、第１の移動体端末装置３及び広告配信サーバ装置２３に代えて、夫々第１の移動体端末装置４３及び広告配信サーバ装置４５を備えている。
第１の移動体端末装置４３は、制御部４３１、メモリ部４３２、入力部４３３、出力部３１、インターフェース部４３４、端末位置特定部３３、通信部３５及び生体情報検出部４３５を備える。
【００４０】
端末側制御部４３１はＣＰＵ、バッファメモリその他の装置を備えたコンピュータ装置であり、第１の移動体端末装置４３を構成する他の要素を制御する。
端末側メモリ部４３２にはコンピュータプログラムが保存され、このコンピュータプログラムはコンピュータ装置である端末側制御部４３１に読み込まれて、これを機能させる。このコンピュータプログラムはＳＤ（登録商標）メモリカード等の汎用的な媒体へ保存できる。
端末側入力部４３３は、例えば、ユーザの指令の入力に用いられる。具体的には、上記目的地の設定やユーザ情報等の入力に用いられる。端末側入力部４３３として、マウス、ライトペン又はディスプレイの表示内容と協働するタッチパネル等のポインティングデバイスやキーボード又はマイクロホン等の音声入力装置を用いることができる。
端末側インターフェース部４３４は移動体端末装置４３を無線ネットワーク等へ連結させる。
生体情報検出部４３５は、第１の移動体端末装置４３を所有するユーザの生体情報を検出する。検出された生体情報は、端末側通信部３５を介して広告配信サーバ装置４５へ送信される。
【００４１】
広告配信サーバ装置４５は、制御部４５１、メモリ部４５２、入力部４５３、インターフェース部４５４、イベント内容格納部５１、広告情報格納部４５５、トリガ生成部５５、イベント内容特定部５７、生体情報取得部４５６、ユーザ情報特定部４５７、ユーザ情報取得部４５８、広告情報抽出部４５９及び通信部６０を備える。
サーバ側制御部４５１はＣＰＵ、バッファメモリその他の装置を備えたコンピュータ装置であり、サーバ装置４５を構成する他の要素を制御する。
サーバ側メモリ部４５２にはコンピュータプログラムが保存され、このコンピュータプログラムはコンピュータ装置であるサーバ側制御部４５１に読み込まれて、これを機能させる。このコンピュータプログラムはＤＶＤ等の汎用的な媒体へ保存できる。
サーバ側入力部４５３は、例えば、イベント内容格納部５１に格納されるイベントテーブルの作成に用いられる。サーバ側入力部４５３として、マウス、ライトペン又はディスプレイの表示内容と協働するタッチパネル等のポインティングデバイスやキーボード又はマイクロホン等の音声入力装置を用いることができる。
サーバ側インターフェース部４５４は広告配信サーバ装置４５を無線ネットワーク等へ連結させる。
【００４２】
広告情報格納部４５５には広告情報が上記イベント内容及びユーザ属性と関連付けて格納される（図６参照）。当該ユーザ属性は、例えば、広告主である飲食店Ｈが適宜決定することができる。例えば、イベント内容「ＡＡコンサート」に対して、広告主Ｈの広告情報「４名様以上でご来店の方にワイン１本サービス♪」等が、ユーザ属性「女性、ウキウキ度☆☆☆」と関連付けて格納される。この例において、広告情報は、ユーザ属性として、ユーザの感情状態を反映した「ウキウキ度」や「ガッカリ度」等と関連付けられていることが好ましい。「ウキウキ度」や「ガッカリ度」は、その度合いと併せて関連付けられていても良い。ユーザの感情状態を反映したユーザ属性として、他にも、取得された生体情報を加工することなく比較可能な情報「脈拍７０以上」等であっても良い。例えば、ユーザの感情状態が高揚しているときには購買意欲が高まるため、高価なサービス、贅沢なサービス等積極的な広告情報を配信し、一方、ユーザの感情状態が消沈しているときには購買意欲が減退するため、よりお得感を出した安価なサービスに関する広告情報を配信するよう、広告情報テーブルを作成しておくことができる。他のユーザ属性として、ユーザの感情状態の変化を反映した「感情上昇度」や「感情下降度」等が挙げられる。これらの「感情上昇度」や「感情下降度」も、上記と同様、例えば「感情上昇度７０％以上」や「感情下降度５０％以下」等その度合い併せて広告情報に関連付けられていても良い。図６に示す広告情報テーブルに広告情報の他の例を示すが、これに限るものではない。
【００４３】
生体情報取得部４５６は、サーバ側通信部６０が受信したユーザの生体情報を取得し、ユーザ情報特定部４５７へ送る。
ユーザ情報特定部４５７は、取得された生体情報に基づいてユーザの感情状態を特定し、該特定された感情状態をユーザ情報として特定する。例えば、ユーザの感情状態として、検出された生体情報としての脈拍や心拍数、体温等から「ウキウキ度」や「ガッカリ度」、さらには、その度合いを特定する。具体的には、ユーザ情報として「ウキウキ度☆☆」等が特定される。このユーザ情報は時間と関連付けて特定され、時系列でその感情状態の履歴が判別できるようにしても良い。
ユーザ情報取得部４５８は、ユーザ情報特定部４５６で特定されたユーザ情報を取得する。当該ユーザ情報は、一時点の感情状態をユーザ情報として取得しても良いし、３０分間等所定期間の感情状態の履歴をユーザ情報として取得しても良い。ユーザ情報取得部４５８は、ユーザ情報特定部４５６で特定されたユーザ情報に限らず、上述のユーザの性別や年齢等を併せて取得しても良い。
上述した生体情報の取得、取得された生体情報に基づくユーザ情報の特定は、特開２００５−０４６３０５号公報、特開２０１３−１０３０７２号公報、特開２００５−１５２０５４号公報、特開２０００−３５８０８８号公報、特開２００３−２０９１７６号公報、特開２００２−２０００５１号公報等に開示される従来の方法により設定することができる。
【００４４】
広告情報抽出部４５９は、広告情報格納部５３から、イベント内容特定部５７で特定されたイベント内容に関連付けられた広告情報であって、ユーザ情報取得部４５８で取得されたユーザ情報に対応するユーザ属性が関連付けられた広告情報を抽出する。例えば、ユーザ情報として「ウキウキ度☆☆☆」が取得された場合、これを充足するようユーザ属性として「ウキウキ度☆☆☆」が関連付けられた広告情報が抽出される。また、ユーザ情報として感情状態が上昇した旨の履歴が取得された場合には、これに対応するユーザ属性として「感情上昇度○○％以上」が関連付けられた広告情報が抽出される。
なお、上記の例では、サーバ装置側に生体情報取得部４５６及びユーザ情報特定部４５７を備えているが、これに限られず、当該構成を移動体端末装置側に備えることにしても良い。この場合、生体情報検出部４３５と生体情報取得部４５６とは一体として機能し、該生体情報に基づいて特定されたユーザ情報を広告配信サーバ装置４５に送信する。
また、他の例として、生体情報検出部４３５は、第１の移動体端末装置４３内に備えられるものとしてではなく、別の装置として広告配信システム４１に組み込まれていても良い。この場合、検出された生体情報を、第１の移動体端末装置のユーザのユーザＩＤ等と関連付けて広告配信サーバ装置４５に送信する。
【００４５】
図７を用いて、図５に示す広告配信システム４１の動作の一例を説明する。
まず、ステップ３０では、第１の移動体端末装置４３内の入力部４３３を介して、目的地が設定される。この例では、２０１３年１２月２２日１４：００に、目的地「ｄｄ競馬場」が設定されたものとする。ステップ３０で設定された目的地及び現在時刻を、通信部３５を介して広告配信サーバ装置４５へ送信する（ステップ３１）。広告配信サーバ装置４５は、ステップ３１の目的地及び現在時刻を受信及び保存し、トリガ信号を生成する（ステップ４０）。
ステップ４１では、イベント内容特定部５７は、イベント内容格納部５１を参照して、ステップ３１で設定された目的地及び現在時刻から、第１の移動体端末装置４３のユーザが参加する予定のイベント内容を特定する。例えば、第１の移動体端末装置の現在位置から目的地「ｄｄ競馬場」までの所要時間を考慮し、到着時刻あたりで開始されるイベント内容を特定する。この例では、イベント内容として「ＤＤ記念」が特定されたものとする。
【００４６】
ステップ４２では、生体情報取得部４５１は、イベント内容「ＤＤ記念」終了後、第１の移動体端末装置ユーザの生体情報を検出するよう要求する。当該要求を受けて、ステップ３２では、生体情報検出部４３５は、ユーザの生体情報を検出し、広告配信サーバ装置４５へ送信する。
生体情報取得部４５１は、送信された生体情報を取得し（ステップ４３）、その生体情報に基づいてユーザ情報を特定する（ステップ４４）。この例では、別に送信されたユーザの性別に関する情報と併せて、ユーザ情報「男性、ウキウキ度☆☆」と特定する。
ステップ４５では、広告情報抽出部４５９は、ステップ４１のイベント内容「ＤＤ記念」に関連付けられたジュエリーショップＫ、飲食店Ｌ及び飲食店Ｍの広告情報のうち、ステップ４４で特定されたユーザ情報「男性、ウキウキ度☆☆」を充足するユーザ属性が関連付けられた飲食店Ｌの広告情報を抽出する。
【００４７】
ステップ４６では、広告情報配信部６１は、ステップ４５で抽出された広告情報を第１の移動体端末装置４３へ送信する。
第１の移動体端末装置４３は、ステップ４６で配信された飲食店Ｌの広告情報「本命的中豪華飲み放題コースが７０００円♪」を受信し、出力部３１により表示等する（ステップ３３）。
一方、上記ステップ４３で取得された生体情報に基づいて、ステップ４４で特定されたユーザ情報が「ガッカリ度★★」であった場合には、ステップ４５において飲食店Ｍの広告情報が抽出され、第１の移動体端末装置４３へ配信される（ステップ３３）。
【００４８】
以上、本発明の実施の形態及び実施例について説明してきたが、これらのうち、２つ以上の実施の形態（実施例）を組み合わせて実施しても構わない。あるいは、これらのうち、１つの実施の形態（実施例）を部分的に実施しても構わない。さらには、これらのうち、２つ以上の実施の形態（実施例）を部分的に組み合わせて実施しても構わない。
【００４９】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【符号の説明】
【００５０】
１  ２１  ４１  広告配信システム
３  ４３  移動体端末装置
５  ２３  ４５  広告配信サーバ装置
３３  端末位置特定部
５１  イベント内容格納部
５３  ４５５  広告情報格納部
５５  トリガ生成部
５７  イベント内容特定部
５９  ４５９  広告情報抽出部
６１  広告情報配信部
２５  ４５８  ユーザ情報取得部
４３５  生体情報検出部
４５６  生体情報取得部
４５７  ユーザ情報特定部
【図１】
2015125604.tif 000003
【図２】
2015125604.tif 000004
【図３】
2015125604.tif 000005
【図４】
2015125604.tif 000006
【図５】
2015125604.tif 000007
【図６】
2015125604.tif 000008
【図７】
2015125604.tif 000009